(57)【特許請求の範囲】
【請求項１】
一端部内周に管挿入部が、同外周におねじがそれぞれ形成された管状継手部材、継手部材の管挿入部に挿入される管、継手部材のおねじにねじ嵌められる内向きフランジ付きナットおよび管挿入部から突出した管の周囲に嵌められかつナット締付けによって継手部材とナットの内向きフランジとの間に挟み止められるとともに管に締付けられてこれに固定される締付けスリーブよりなる管継手を組み立てる前に、管に締付けスリーブを締付けておくための治具であって、一端に形成された管状頭部、管状頭部の外周に形成されたおねじ、管状頭部の内周に形成された管挿入部、管挿入部の奥に形成された内方突出状ストッパ部および管挿入部の先端に形成された内向き傾斜状テーパ面を備えた治具本体と、管状頭部のおねじにねじ嵌められ、管挿入部に挿入されて管挿入部より突出している管の周囲に嵌められた締付けスリーブを管に締付けるための内向きフランジ付きナットとよりなる管継手予備締め治具。
【請求項２】
治具本体に握り棒が取り付けられている請求項１記載の管継手予備締め治具。
【発明の詳細な説明】
【０００１】
【産業上の利用分野】
この発明は、管継手組立時におけるナット締付け作業を容易にするための管継手予備締め治具に関する。
【０００２】
【従来の技術および発明が解決しようとする課題】
従来、管継手として、一端部内周に管挿入部が、同外周におねじがそれぞれ形成された管状継手部材、継手部材の管挿入部に挿入される管、継手部材のおねじにねじ嵌められる内向きフランジ付きナットおよび管挿入部から突出した管の周囲に嵌められかつナット締付けによって継手部材とナットの内向きフランジとの間に挟み止められるとともに管に締付けられてこれに固定される締付けスリーブよりなるものが知られている。
【０００３】
上記管継手の組立は、配管工事の作業現場において、ナットを手で締付けた後、さらにスパナ等により例えば５／４回転させて締付けることにより行われていた。しかし、配管工事の作業現場では、スパナを１回転させることが困難な場所や手が届きにくい場所等があり、そのような場所においては、ナット締付け作業は極めて困難であった。
【０００４】
この発明の目的は、管継手を組み立てる前に、管に締付けスリーブを締付けておくことにより、配管工事の作業現場におけるナット締付け作業を容易にする管継手予備締め治具を提供することにある。
【０００５】
【課題を解決するための手段】
この発明による管継手予備締め治具は、一端部内周に管挿入部が、同外周におねじがそれぞれ形成された管状継手部材、継手部材の管挿入部に挿入される管、継手部材のおねじにねじ嵌められる内向きフランジ付きナットおよび管挿入部から突出した管の周囲に嵌められかつナット締付けによって継手部材とナットの内向きフランジとの間に挟み止められるとともに管に締付けられてこれに固定される締付けスリーブよりなる管継手を組み立てる前に、管に締付けスリーブを締付けておくための治具であって、一端に形成された管状頭部、管状頭部の外周に形成されたおねじ、管状頭部の内周に形成された管挿入部、管挿入部の奥に形成された内方突出状ストッパ部および管挿入部の先端に形成された内向き傾斜状テーパ面を備えた治具本体と、管状頭部のおねじにねじ嵌められ、管挿入部に挿入されて管挿入部より突出している管の周囲に嵌められた締付けスリーブを管に締付けるための内向きフランジ付きナットとよりなるものである。
【０００６】
上記治具本体には、握り棒が取り付けられていることがある。
【０００７】
【作用】
この発明の管継手予備締め治具は、管継手を組み立てる前に使用されるもので、予備締め作業は、管挿入部に管を挿入し、管状頭部から突出した管の周囲に締付けスリーブを嵌め、ナットを管側からおねじに嵌めて手で締付けた後、ナットをスパナ等で例えば３／４回転させて締付けることにより行われる。スパナ等により締付けるときには、治具本体をバイス等でつかんで固定しておく。この予備締めによりスリーブが管挿入部とナットの内向きフランジとの間に挟み止められるとともに管に締付けられて管に固定される。
【０００８】
予備締め後は、ナットを緩めてスリーブが固定された管を治具から一旦取り外し、これを配管工事の作業現場に運んで管状継手部材の管挿入部に挿入し、ナットを管側から継手部材のおねじに嵌めて手で締付けた後、ナットをスパナ等で締付けることにより、管継手を組み立てる。予備締め時のスパナ等によるナットの締付け分は手で締付けることができるので、管継手組立時のスパナ等によるナットの締付け量は、例えば１／２回転で十分である。
【０００９】
治具本体に握り棒が取り付けられているものでは、予備締めは、握り棒を手で保持しておいてナットをスパナ等で締付けることにより行われる。
【００１０】
【実施例】
この発明の実施例を、以下図面を参照して説明する。なお、以下の説明において、左右および上下は、それぞれ図２の左右および上下をいうものとする。
【００１１】
図４は、この発明の管継手予備締め治具(21)により、予備締めされる管継手の一例を示している。
【００１２】
この管継手は、右端側から管(8)が挿入される管状継手部材(1) と、この継手部材(1)の右端側から突出した管(8)の周囲に嵌められる第１および第２締付けスリーブ(3)(4)と、締付けスリーブ(3)(4)を締付けて管(8)を継手部材(1)に固定するナット(5)とを備えている。
【００１３】
管状継手部材(1)の右端部の内周に管挿入部(12)が形成され、同外周におねじ(10)が形成されている。管挿入部(12)の左端部には、内方に突出したストッパ部(12a)が形成され、同右端部には内向きに傾斜したテーパ面(12b) が形成されている。
【００１４】
第１スリーブ(3)の左端寄りの部分の内周に環状溝(13)が、右端部外周に外向きフランジ部(14)が、右端部内周に、内向きに傾斜したテーパ面がそれぞれ形成されている。そして、第１スリーブ(3) の左端部が管挿入部(12)右端のテーパ面(12a)の内側に少し入り込んでいる。第２スリーブ(4)の左端面は、外向きに傾斜したテーパ面となっている。第２スリーブ(4)の右端部外周に外向きフランジ部(15)が形成され、右端面はわずかに外向きに傾斜したテーパ面となっている。そして、第２スリーブ(4)の左端面が第１スリーブ(3) のテーパ面に密接している。ナット(5)の右端部側の内周に左側の部分より内径の小さい小径部(17)が形成され、この小径部(17)の右端部側の部分に内向きフランジ部(18)が形成されている。ナット(5)の左端部側の内周にめねじ(16)が形成されており、これが管状頭部(6)のおねじ(10)にねじ嵌められている。ナット(5)の内向きフランジ部(18)の左側の面はわずかに内向きに傾斜しており、この面が第２スリーブ(4) の右端のテーパ面に密接している。
【００１５】
上記管継手では、ナット(5)を手で締付けた後、さらにスパナにより締付けると、２つのスリーブ(3)(4)が継手部材(1)とナット(5) のフランジ部(18)との間に挟み止められ、これにより、２つのスリーブ(3)(4)が締付けられて、管(8)が継手部材(1)に固定される。この管継手では、スパナによるナット(5)の締付け量は、５／４回転とされている。管継手の組立は、配管工事の作業現場において行われるが、配管工事の作業現場では、スパナを１回転させることが困難な場所や手が届きにくい場所等があり、そのような場所においては、スパナによりナット(5)を５／４回転させる作業は非常に困難であった。
【００１６】
図１に示す管継手予備締め治具(21)は、配管工事の作業現場におけるナット締付け作業を容易にするために、上記管継手を組み立てる前に管(8)に締付けスリーブ(3)(4)を締付けておくための治具であって、略円柱状の治具本体(22)の右端に、図４に示す管状継手部材(1)の右端部の形状と同一形状となされた管状頭部(23)が形成されているものである。管継手予備締め治具(21)を使用しないときには、めねじが形成されたキャップ(24)が管状頭部(23)に被せられる。
【００１７】
管継手予備締め治具(21)には、治具本体(22)の両側面が左端部から右端部近くまで切削されることにより、平行な２平面を備えた工具係合部(25)が形成されている。切削されていない治具本体(22)の右端部(22a)は、治具本体(22)をバイスに保持させるさいの落下防止用ストッパの役目を果たす。
【００１８】
図２は、図１の管継手予備締め治具(21)を使用して管(8)に締付けスリーブ(3)(4)を締付けるさいの縦断面を示すもので、同図に詳しく示すように、管継手予備締め治具(21)の管状頭部(23)の内周には、管状継手部材(1)の管挿入部(12)と同一形状の管挿入部(32)が形成され、同外周には、管状継手部材(1)のおねじ(10)と同一形状のおねじ(30)が形成されている。管挿入部(32)の左端部には、内方突出状ストッパ部(32a)が形成され、同右端部には、内向き傾斜状テーパ面(32b)が形成されている。
【００１９】
上記実施例において、管継手予備締め治具(21)は特殊鋼製で、キャップ(24)は黄銅製となされている。
【００２０】
管継手予備締め治具(21)による予備締めは、次のようにして行われる。
【００２１】
まず、工具係合部(25)をバイス等でつかんで治具本体(22)を固定し、管状頭部(23)の管挿入部(32)に管(8)をストッパ部(32a)に当たるまで挿入する。次に、管状頭部(23)より右側に突出した管(8)の周囲に第１スリーブ(3)と第２スリーブ(4)を順に嵌める。次に、ナット(5)を管状頭部(23) のおねじ(30)にねじ嵌めて手で締付ける。最後に、ナット(5)をスパナ等で例えば３／４回転させる。これにより、第１および第２スリーブ(3)(4)が締付けられて第１および第２スリーブ(3)(4)と管(8)との間のシール性が確保され、第１および第２スリーブ(3)(4)が管(8)に固定される。
【００２２】
この予備締めが終ると、ナット(5)を緩めてスリーブ(3)(4)が固定された管(8)を予備締め治具(21)から一旦外して、これを配管工事の作業現場に運んで管状継手部材(1)に挿入し、ナット(5)を管(8) 側から継手部材(1)に嵌めて手で締付けた後、さらにこれをスパナ等で締付けることにより、管継手を組み立てる。予備締め時のスパナ等によるナット(5)の締付け分は手で締付けることができるので、管継手組立時のスパナ等によるナット(5)の締付け量は、例えば１／２回転程度で十分であり、これによって十分なシール性を有する管継手が得られる。したがって、スパナを１回転させる空間がない場所や手が届きにくい場所等におけるナット締付け作業も容易に行うことができる。
【００２３】
上記実施例において、治具本体(22)は略円柱状となされているが、四角柱状や六角柱状であってもよい。工具係合部(25)は、治具本体(22)の両側面が切削されることにより形成されているが、工具係合部の形状や形成方法はこれに限らず、適宜変更できる。
【００２４】
なお、上記実施例の予備締め時において使用されるナット(5) は、管継手に使用されるものと同じものが使用されているが、予備締め専用のナットを使用することもできる。この場合には、ナットのめねじおよび予備締め治具のおねじは、管状継手部材(1)のおねじ(10)に合わせなくてもよい。
【００２５】
図３は、この発明の管継手予備締め治具の他の実施例を示している。
【００２６】
同図に示すように、この管継手予備締め治具(41)は、略角柱状の治具本体(42)の右端に管状頭部(23)が形成されており、治具本体(42)に上下方向にのびる握り棒(43)が取り付けられているものである。管状頭部(23)は、前記実施例と同一形状であるので、説明を省略する。管継手予備締め治具(41)を使用しないときには、めねじが形成されたキャップ(24)が管状頭部(23)に被せられる。
【００２７】
握り棒(43)の上端にはおねじ(44)が形成され、治具本体(42)にはこのおねじ(44)に合う上下方向のめねじ(45)が形成されており、握り棒(43)は着脱自在となされている。握り棒(43)の下端にはローレット加工等の滑り防止が施された把持部(43a)が形成されている。
【００２８】
上記実施例において、治具本体(42)は特殊鋼製となされ、握り棒(43)はカーボンスチール製となされている。なお、治具本体(42)は略角柱状となされているが、その他の形状であってももちろんよい。また、握り棒(43)は着脱自在となされているが、着脱自在でなくてもよい。着脱自在とすることにより、管状頭部の形状がそれぞれ異なる複数の予備締め治具を使用する場合でも、１本の握り棒(43)により作業が行える。
【００２９】
【発明の効果】
この発明の管継手予備締め治具によると、管継手組立前にスリーブを管に固定しておくことができる。予備締め時のスパナ等によるナットの締付け分は、手で締付けることができるので、管継手組立時には、スパナ等によるナットの締付け量は、例えば１／２回転で十分であり、スパナを１回転させる空間がない場所や手が届きにくい場所等においても、ナット締付け作業が容易に行える。
【００３０】
治具本体に握り棒が取り付けられているものでは、予備締めは、握り棒を手で保持しておいてナットをスパナ等で締付けることにより行えるので、バイス等の本体固定治具を必要とせず、どのような現場に於いても管継手予備締め作業ができる。
【図面の簡単な説明】
【図１】  この発明による管継手予備締め治具の一実施例を示す斜視図である。
【図２】  図１の治具を使用して予備締めするときの状態を示す縦断面図である。
【図３】  この発明による管継手予備締め治具の他の実施例を示す斜視図である。
【図４】  この発明による管継手予備締め治具により予備締めされる管継手の一例を示す縦断面図である。
【符号の説明】
(1)         管状継手部材
(3)(4)       締付けスリーブ
(5)         ナット
(8)         管
(10)        おねじ
(12)        管挿入部
(18)        内向きフランジ
(21)(41)     管継手予備締め治具
(22)(42)     治具本体
(23)        管状頭部
(30)        おねじ
(32)        管挿入部
(32a)  ストッパ部
(32b)  テーパ部
(43)        握り棒
【図１】
0003785446.tif 000002
【図２】
0003785446.tif 000003
【図３】
0003785446.tif 000004
【図４】
0003785446.tif 000005